(57)【要約】  通信リソースの利用効率を高めることができる基地局を提供する。上りリンク（ＵＬ）と下りリンク（ＤＬ）とが時分割多重される通信システムにおいて使用される基地局（１０）が、通信制御部（１１）と無線送信部（１３）とを有する。通信制御部（１１）は、下りリンク（ＤＬ）に含まれる複数の周波数ブロック（ＦＢ１，ＦＢ２）のうちの１つの周波数ブロック（ＦＢ２）に第一期間（Ｔ１）と第二期間（Ｔ２）とを設定し、設定した第一期間（Ｔ１）と第二期間（Ｔ２）との間において、互いに異なるシンボル長またはＣＰ長を設定する。無線送信部（１３）は、設定されたシンボル長またはＣＰ長の設定情報をユーザ端末（２０）へ送信する。
2018029843.tif 000002
【特許請求の範囲】
【請求項１】
上りリンクと下りリンクとが時分割多重される通信システムにおいて使用される基地局であって、
前記上りリンクまたは前記下りリンクに含まれる複数の周波数ブロックのうちの１つの周波数ブロックに第一期間と第二期間とを設定し、設定した前記第一期間と前記第二期間との間において、互いに異なるシンボル長またはサイクリックプレフィックス長を設定する制御部と、
設定された前記シンボル長または前記サイクリックプレフィックス長の設定情報を前記ユーザ端末へ送信する送信部と、
を具備する基地局。
【請求項２】
前記制御部は、前記複数の周波数ブロックの間において、前記シンボル長及び前記サイクリックプレフィックス長の合計長が同一の複数のシンボルのシンボルタイミングを互いに一致させる、
請求項１に記載の基地局。
【請求項３】
前記制御部は、１つのユーザ端末に対して、前記第一期間における通信リソースと、前記第二期間における通信リソースとを同時に割り当てる、
請求項１に記載の基地局。
【請求項４】
前記制御部が前記第二期間において前記１つのユーザ端末に対して割り当てる前記通信リソースの周波数帯域幅は、前記制御部が前記第一期間において前記１つのユーザ端末に対して割り当てる前記通信リソースの周波数帯域幅より大きい、
請求項３に記載の基地局。
【請求項５】
上りリンクと下りリンクとが時分割多重される通信システムにおいて使用されるユーザ端末であって、
基地局から送信された設定情報であって、前記上りリンクまたは前記下りリンクに含まれる複数の周波数ブロックのうちの１つの周波数ブロックに設定された第一期間と第二期間とのそれぞれに対応する互いに異なるシンボル長またはサイクリックプレフィックス長の前記設定情報を受信する受信部と、
前記設定情報に従って下りリンク信号を復調する受信処理部と、
を具備するユーザ端末。
【請求項６】
上りリンクと下りリンクとが時分割多重される通信システムにおける通信制御方法であって、
基地局によって、前記上りリンクまたは前記下りリンクに含まれる複数の周波数ブロックのうちの１つの周波数ブロックに第一期間と第二期間とを設定し、設定した前記第一期間と前記第二期間との間において、互いに異なるシンボル長またはサイクリックプレフィックス長を設定し、
前記基地局によって、前記基地局が設定した前記シンボル長または前記サイクリックプレフィックス長の設定情報を前記ユーザ端末へ送信する、
通信制御方法。
【発明の詳細な説明】
【技術分野】
【０００１】
本発明は、基地局及び通信制御方法に関する。
【背景技術】
【０００２】
最近、５Ｇ（第５世代）移動通信システムについての検討が行われている。５Ｇ移動通信システムでは、ＯＦＤＭ（Orthogonal  Frequency  Division  Multiplexing）をベースとして、シンボル長が互いに異なる複数の通信を周波数多重することが検討されている。ＯＦＤＭでは、シンボル長はサブキャリア間隔の逆数になるため、シンボル長が大きいほどサブキャリア間隔は小さくなる。
【先行技術文献】
【非特許文献】
【０００３】
【非特許文献１】“Numerology  and  TTI  multiplexing  for  NR  Forward  Compatibility  Analysis”,  3GPP  TSG-RAN  WG1  #85,  R1-164692,  7.1.4,  Qualcomm  Incorporated,  23rd-27th  May  2016
【発明の概要】
【発明が解決しようとする課題】
【０００４】
図１は、課題の説明に供する図である。図１に示す通信方式は、上りリンクＵＬと下りリンクＤＬとが時分割多重されるＴＤＤ（Time  Division  Duplex）方式である。また、上りリンクＵＬまたは下りリンクＤＬには、複数の周波数ブロック、例えば、周波数ブロックＦＢ１，ＦＢ２が含まれる。周波数ブロックＦＢ１は複数のリソースブロックＲＢ１によって形成され、周波数ブロックＦＢ２は複数のリソースブロックＲＢ２によって形成される。通信リソースは時間と周波数とによって規定され、例えば、リソースブロックＲＢ１は、シンボル長とＣＰ（Cyclic  Prefix）長との合計長ＴＬ１と、サブキャリア間隔ＳＩ１とによって規定され、リソースブロックＲＢ２は、シンボル長とＣＰ長との合計長ＴＬ２と、サブキャリア間隔ＳＩ２とによって規定される。ＣＰは、ガードインターバルと呼ばれることもある。以下では、「シンボル長とＣＰ長との合計長」を単に「合計長」と呼ぶことがある。【０００５】
図１に示す例では、周波数ブロックＦＢ１における合計長ＴＬ１は周波数ブロックＦＢ２における合計長ＴＬ２より小さい。シンボル長にかかわらずＣＰ長が一定である、または、シンボル長に比例してＣＰ長が決定する等の場合、周波数ブロックＦＢ１におけるサブキャリア間隔ＳＩ１は周波数ブロックＦＢ２におけるサブキャリア間隔ＳＩ２より大きい。これに対し、５Ｇ移動通信システムに採用されるＴＤＤ方式では、下りリンクＤＬから上りリンクＵＬへの切替の際には、セル半径に応じた切替時間ＣＴが存在する一方で、周波数ブロックＦＢ１と周波数ブロックＦＢ２との間で切替タイミングを揃えることが要求される。このため、リソースブロックＲＢ１の合計長ＴＬ１より大きい合計長ＴＬ２を有するリソースブロックＲＢ２によって形成される周波数ブロックＦＢ２では、リソースブロックＲＢ２のミュートが発生し、その結果、時間軸方向におけるオーバヘッドＯＨが大きくなってしまい通信リソースの利用効率が低下してしまう。【０００６】
なお、３ＧＰＰ（The  3rd  Generation  Partnership  Project）での検討において、シンボル長、ＣＰ長、サブキャリア間隔等の各パラメータは“Numerology”と総称されることがある。【０００７】
開示の技術は、上記に鑑みてなされたものであって、通信リソースの利用効率を高めることを目的とする。
【課題を解決するための手段】
【０００８】
開示の態様では、上りリンクと下りリンクとが時分割多重される通信システムにおいて使用される基地局が、制御部と送信部とを有する。前記制御部は、前記上りリンクまたは前記下りリンクに含まれる複数の周波数ブロックのうちの１つの周波数ブロックに第一期間と第二期間とを設定し、設定した前記第一期間と前記第二期間との間において、互いに異なるシンボル長またはサイクリックプレフィックス長を設定する。前記送信部は、設定された前記シンボル長または前記サイクリックプレフィックス長の設定情報を前記ユーザ端末へ送信する。
【発明の効果】
【０００９】
開示の態様によれば、通信リソースの利用効率を高めることができる。
【図面の簡単な説明】
【００１０】
【図１】図１は、課題の説明に供する図である。
【図２】図２は、実施例１の通信システムの構成の一例を示す図である。
【図３】図３は、実施例１の通信システムの動作の一例の説明に供する図である。
【図４】図４は、実施例１の通信システムの動作の一例の説明に供する図である。
【図５】図５は、実施例１の通信システムの動作の一例の説明に供する図である。
【図６】図６は、実施例１の通信システムの動作の一例の説明に供する図である。
【図７】図７は、実施例１の設定情報の一例を示す図である。
【図８】図８は、実施例１の基地局の構成の一例を示す機能ブロック図である。
【図９】図９は、実施例１のユーザ端末の構成の一例を示す機能ブロック図である。
【図１０】図１０は、基地局のハードウェア構成例を示す図である。
【図１１】図１１は、ユーザ端末のハードウェア構成例を示す図である。
【発明を実施するための形態】
【００１１】
以下に、本願の開示する基地局及び通信制御方法の実施例を図面に基づいて説明する。なお、この実施例により本願の開示する基地局及び通信制御方法が限定されるものではない。また、実施例において同一の機能を有する構成には同一の符号を付す。
【００１２】
［実施例１］
＜通信システムの構成＞
図２は、実施例１の通信システムの構成の一例を示す図である。図２において、通信システム１は、基地局１０と、ユーザ端末（User  Equipment：ＵＥ）２０−１〜２０−３とを有する。基地局１０は、基地局１０とユーザ端末２０−１〜２０−３の各々との間に設定される上りリンクＵＬ及び下りリンクＤＬを用いて、ＴＤＤ方式で、ユーザ端末２０−１〜２０−３の各々と通信する。図２では、３つのユーザ端末を一例として挙げているが、ユーザ端末の数は図２に示すものに限定されない。以下では、ユーザ端末２０−１〜２０−３を区別しない場合にはユーザ端末２０と総称することがある。
【００１３】
＜通信システムの動作＞
図３〜図６は、実施例１の通信システムの動作の一例の説明に供する図である。以下、動作例１〜４に分けて説明する。図３〜図６に示す通信方式は、上りリンクＵＬと下りリンクＤＬとが時分割多重されるＴＤＤ方式である。また、上りリンクＵＬまたは下りリンクＤＬには、複数の周波数ブロック、例えば、周波数ブロックＦＢ１，ＦＢ２が含まれる。例えば、周波数ブロックＦＢ１と周波数ブロックＦＢ２とは連続する一連の周波数帯域であり、この一連の周波数帯域が分割されることにより周波数ブロックＦＢ１と周波数ブロックＦＢ２とが形成される。また、図３〜図６において、通信リソースは時間と周波数とによって規定され、例えば、リソースブロックＲＢ１は合計長ＴＬ１とサブキャリア間隔ＳＩ１とによって規定され、リソースブロックＲＢ２は合計長ＴＬ２とサブキャリア間隔ＳＩ２とによって規定される。
【００１４】
＜動作例１：図３＞
動作例１では、リソースブロックＲＢ２の合計長ＴＬ２がリソースブロックＲＢ１の合計長ＴＬ１の整数倍になっている場合について説明する。例えば図３では、合計長ＴＬ２は、合計長ＴＬ１の２倍になっている。
【００１５】
基地局１０は、下りリンクＤＬに含まれる周波数ブロックＦＢ１，ＦＢ２のうち、図１のようなオーバヘッドＯＨが生じる周波数ブロックＦＢ２を基準にして、周波数ブロックＦＢ２に第一期間Ｔ１及び第二期間Ｔ２を設定する。第一期間Ｔ１及び第二期間Ｔ２は、合計長ＴＬ１の整数倍、または、合計長ＴＬ２の整数倍に設定される。図３に示す例では、第一期間Ｔ１は合計長ＴＬ２の４倍に設定され、第二期間Ｔ２は合計長ＴＬ１の１倍に設定されている。また、第一期間Ｔ１及び第二期間Ｔ２は、下りリンクＤＬの期間、下りリンクＤＬから上りリンクＵＬへの切替時間ＣＴ、合計長ＴＬ１、及び、合計長ＴＬ２に基づいて、時間軸方向でのオーバヘッドＯＨが最小になるように設定される。
【００１６】
そして、基地局１０は、周波数ブロックＦＢ２の第一期間Ｔ１にリソースブロックＲＢ２を割り当て、周波数ブロックＦＢ２の第二期間Ｔ２にリソースブロックＲＢ１を割り当てる。図３に示す例では、合計長ＴＬ２が合計長ＴＬ１の整数倍であるため、オーバヘッドＯＨがゼロになる。
【００１７】
＜動作例２：図４＞
動作例２では、動作例１と同様に、リソースブロックＲＢ２の合計長ＴＬ２がリソースブロックＲＢ１の合計長ＴＬ１の整数倍になっている場合について説明する。例えば図４では、図３と同様に、合計長ＴＬ２は、合計長ＴＬ１の２倍になっている。
【００１８】
基地局１０は、動作例１と同様にして、下りリンクＤＬに含まれる周波数ブロックＦＢ１，ＦＢ２のうち、周波数ブロックＦＢ２に第一期間Ｔ１及び第二期間Ｔ２を設定する。図４に示す例では、第一期間Ｔ１は合計長ＴＬ２の３倍に設定され、第二期間Ｔ２は合計長ＴＬ１の３倍に設定されている。
【００１９】
そして、基地局１０は、周波数ブロックＦＢ２の第一期間Ｔ１にリソースブロックＲＢ２を割り当て、周波数ブロックＦＢ２の第二期間Ｔ２にリソースブロックＲＢ１を割り当てる。図４に示す例では、図３と同様に、合計長ＴＬ２が合計長ＴＬ１の整数倍であるため、オーバヘッドＯＨがゼロになる。
【００２０】
＜動作例３：図５＞
動作例３では、リソースブロックＲＢ２の合計長ＴＬ２がリソースブロックＲＢ１の合計長ＴＬ１の整数倍になっていない場合について説明する。
【００２１】
基地局１０は、動作例１と同様にして、下りリンクＤＬに含まれる周波数ブロックＦＢ１，ＦＢ２のうち、周波数ブロックＦＢ２に第一期間Ｔ１及び第二期間Ｔ２を設定する。図５に示す例では、第一期間Ｔ１は合計長ＴＬ２の３倍に設定され、第二期間Ｔ２は合計長ＴＬ１の２倍に設定されている。そして、基地局１０は、周波数ブロックＦＢ２の第一期間Ｔ１にリソースブロックＲＢ２を割り当て、周波数ブロックＦＢ２の第二期間Ｔ２にリソースブロックＲＢ１を割り当てる。図５に示す例では、図１に示す例よりも、オーバヘッドＯＨが減少している。
【００２２】
＜動作例４：図６＞
動作例４では、動作例３と同様に、リソースブロックＲＢ２の合計長ＴＬ２がリソースブロックＲＢ１の合計長ＴＬ１の整数倍になっていない場合について説明する。
【００２３】
基地局１０は、動作例１と同様にして、下りリンクＤＬに含まれる周波数ブロックＦＢ１，ＦＢ２のうち、周波数ブロックＦＢ２に第一期間Ｔ１及び第二期間Ｔ２を設定する。図６に示す例では、第一期間Ｔ１は合計長ＴＬ１の２倍に設定され、第二期間Ｔ２は合計長ＴＬ２の３倍に設定されている。そして、基地局１０は、周波数ブロックＦＢ２の第一期間Ｔ１にリソースブロックＲＢ１を割り当て、周波数ブロックＦＢ２の第二期間Ｔ２にリソースブロックＲＢ２を割り当てる。図６に示す例では、図１に示す例よりも、オーバヘッドＯＨが減少している。
【００２４】
以上、動作例１〜４について説明した。動作例１〜４において、合計長ＴＬ１，ＴＬ２はシンボル長とＣＰ長との合計長であるため、リソースブロックＲＢ１とリソースブロックＲＢ２との間では、シンボル長及びＣＰ長の何れか一方または双方が互いに異なる。また、動作例１〜４の周波数ブロックＦＢ２において、第一期間Ｔ１にリソースブロックＲＢ２が割り当てられた場合には第二期間Ｔ２にリソースブロックＲＢ１が割り当てられ（動作例１〜３）、第一期間Ｔ１にリソースブロックＲＢ１が割り当てられた場合には第二期間Ｔ２にリソースブロックＲＢ２が割り当てられる（動作例４）。つまり、動作例１〜４の何れでも、基地局１０は、周波数ブロックＦＢ２の第一期間Ｔ１と第二期間Ｔ２との間において、互いに異なるシンボル長またはＣＰ長を設定する。
【００２５】
なお、ＣＰ長を含まないシンボル長（つまり、合計長に含まれるシンボル長）は、「有効シンボル長」と呼ばれることもある。
【００２６】
＜設定情報の生成＞
図７は、実施例１の設定情報の一例を示す図である。設定情報ＣＯＭ１〜ＣＯＭ６の各々は、通信リソースが割り当てられる周波数ブロックと、通信リソースが割り当てられる期間と、Numerologyとの組合せを示す。また、設定情報ＣＯＭ１〜ＣＯＭ６の各々は、１つのユーザ端末２０に対して、一度の割当で同時に割当可能な通信リソースと、Numerologyとの組合せを示す。設定情報ＣＯＭ１〜ＣＯＭ６に含まれるNumerologyは、例えば、シンボル長、ＣＰ長、サブキャリア間隔、または、合計長である。以下では、一例として、Numerologyとして合計長が指定される場合について説明する。また、以下では、一例として、基地局１０が上記の動作例１のように、周波数ブロックＦＢ２の第一期間Ｔ１にリソースブロックＲＢ２を割り当て、周波数ブロックＦＢ２の第二期間Ｔ２にリソースブロックＲＢ１を割り当てた場合（図３）の設定情報の生成について説明する。
【００２７】
基地局１０が図３に示すようにしてリソースブロックを割り当てた場合、基地局１０は、ユーザ端末２０の各々に対して、図７に示す設定情報ＣＯＭ１〜ＣＯＭ６の何れかを生成する。
【００２８】
設定情報ＣＯＭ１は、ある１つのユーザ端末２０に対して一度の割当で、周波数ブロックＦＢ１の第一期間Ｔ１において合計長ＴＬ１のリソースブロックＲＢ１が割当可能であることを示す。
【００２９】
設定情報ＣＯＭ２は、ある１つのユーザ端末２０に対して一度の割当で、周波数ブロックＦＢ１の第一期間Ｔ１において合計長ＴＬ１のリソースブロックＲＢ１と、周波数ブロックＦＢ１の第二期間Ｔ２において合計長ＴＬ１のリソースブロックＲＢ１とが同時に割当可能であることを示す。
【００３０】
設定情報ＣＯＭ３は、ある１つのユーザ端末２０に対して一度の割当で、周波数ブロックＦＢ１の第一期間Ｔ１において合計長ＴＬ１のリソースブロックＲＢ１と、周波数ブロックＦＢ１の第二期間Ｔ２において合計長ＴＬ１のリソースブロックＲＢ１と、周波数ブロックＦＢ２の第二期間Ｔ２において合計長ＴＬ１のリソースブロックＲＢ１とが同時に割当可能であることを示す。
【００３１】
設定情報ＣＯＭ４は、ある１つのユーザ端末２０に対して一度の割当で、周波数ブロックＦＢ２の第一期間Ｔ１において合計長ＴＬ２のリソースブロックＲＢ２が割当可能であることを示す。
【００３２】
設定情報ＣＯＭ５は、ある１つのユーザ端末２０に対して一度の割当で、周波数ブロックＦＢ２の第一期間Ｔ１において合計長ＴＬ２のリソースブロックＲＢ２と、周波数ブロックＦＢ２の第二期間Ｔ２において合計長ＴＬ１のリソースブロックＲＢ１とが同時に割当可能であることを示す。
【００３３】
設定情報ＣＯＭ６は、ある１つのユーザ端末２０に対して一度の割当で、周波数ブロックＦＢ２の第一期間Ｔ１において合計長ＴＬ２のリソースブロックＲＢ２と、周波数ブロックＦＢ２の第二期間Ｔ２において合計長ＴＬ１のリソースブロックＲＢ１と、周波数ブロックＦＢ１の第二期間Ｔ２において合計長ＴＬ１のリソースブロックＲＢ１とが同時に割当可能であることを示す。
【００３４】
つまり、基地局１０は、基地局１０が設定したNumerologyをユーザ端末２０へ通知するための設定情報ＣＯＭ１〜ＣＯＭ６を生成する。そして、基地局１０は、生成した設定情報ＣＯＭ１〜ＣＯＭ６をユーザ端末２０へ送信する。
【００３５】
また、基地局１０が設定情報ＣＯＭ１〜ＣＯＭ６のうち設定情報ＣＯＭ２，ＣＯＭ３，ＣＯＭ５，ＣＯＭ６を生成する場合、基地局１０は、ある１つのユーザ端末２０に対して、第一期間Ｔ１における通信リソースと、第二期間Ｔ２における通信リソースとを同時に割り当てる。
【００３６】
さらに、基地局１０は、通信リソース（リソースブロック）の割当結果に従って、通信リソースの割当番号（ｍ,ｎ）をユーザ端末２０へ送信する。ｍは割り当てられた通信リソースの周波数方向での最初の番号を示し、ｎは割り当てられた通信リソースの周波数方向での最後の番号を示す。通信リソースの割当番号（ｍ,ｎ）を受信したユーザ端末２０は、設定情報ＣＯＭ１〜ＣＯＭ６と、割当番号（ｍ,ｎ）とに従って、自端末に割り当てられた下りリンクＤＬの通信リソースを判断する。
【００３７】
例えば、基地局１０から設定情報ＣＯＭ１を送信されたユーザ端末２０−１は、周波数ブロックＦＢ１の第一期間Ｔ１においてｍ番目からｍ＋ｎ番目までのリソースブロックＲＢ１がユーザ端末２０−１に割り当てられたと判断する。
【００３８】
また例えば、基地局１０から設定情報ＣＯＭ３を送信されたユーザ端末２０−１は、周波数ブロックＦＢ１の第一期間Ｔ１においてｍ番目からｍ＋ｎ番目までのリソースブロックＲＢ１と、周波数ブロックＦＢ１の第二期間Ｔ２においてｍ番目からｍ＋ｎ番目までのリソースブロックＲＢ１と、周波数ブロックＦＢ２の第二期間Ｔ２においてｆ(ｍ)番目からｆ(ｍ＋ｎ)番目までのリソースブロックＲＢ１とがユーザ端末２０−１に割り当てられたと判断する。ここで「ｆ(ｍ)＝ｍ＋Ｋ」であり、「Ｋ」は、組合せ毎、つまり、設定情報ＣＯＭ１〜ＣＯＭ６毎に事前に設定される整数値であり、基地局１０及びユーザ端末２０の双方に既知の値である。
【００３９】
また例えば、基地局１０から設定情報ＣＯＭ５を送信されたユーザ端末２０−１は、周波数ブロックＦＢ２の第一期間Ｔ１においてｍ番目からｍ＋ｎ番目までのリソースブロックＲＢ２と、周波数ブロックＦＢ２の第二期間Ｔ２においてｍ番目からｍ＋ｎ番目までのリソースブロックＲＢ１とがユーザ端末２０−１に割り当てられたと判断する。
【００４０】
＜基地局の構成＞
図８は、実施例１の基地局の構成の一例を示す機能ブロック図である。図８において、基地局１０は、通信制御部１１と、送信処理部１２−１〜１２−３と、無線送信部１３と、切替部１４と、アンテナ１５と、無線受信部１６と、受信処理部１７−１〜１７−３とを有する。送信処理部１２−１〜１２−３及び受信処理部１７−１〜１７−３は、ユーザ端末２０−１〜２０−３にそれぞれ対応する。以下では、送信処理部１２−１〜１２−３を区別しない場合には送信処理部１２と総称し、受信処理部１７−１〜１７−３を区別しない場合には受信処理部１７と総称することがある。
【００４１】
通信制御部１１は、ユーザ端末２０に対する上りリンクＵＬの通信リソースの割当（以下では「上りリンク割当」と呼ぶことがある）、及び、ユーザ端末２０に対する下りリンクＤＬの通信リソースの割当（以下では「下りリンク割当」と呼ぶことがある）を行い、上りリンク割当の割当結果を送信処理部１２及び受信処理部１７へ出力する。
【００４２】
また、通信制御部１１は、上記の動作例１〜４のように動作し、図１のようなオーバヘッドＯＨが生じる周波数ブロックＦＢ２を基準にして周波数ブロックＦＢ２に第一期間Ｔ１及び第二期間Ｔ２を設定し、設定した第一期間Ｔ１と第二期間Ｔ２との間において、互いに異なるシンボル長またはＣＰ長を設定する。
【００４３】
通信制御部１１が第一期間Ｔ１と第二期間Ｔ２との間において互いに異なるシンボル長またはＣＰ長を設定する際には、通信制御部１１は、図３〜図６のように、周波数ブロックＦＢ１と周波数ブロックＦＢ２との間において、合計長が同一の複数のシンボルのシンボルタイミングを互いに一致させるのが好ましい。この場合、周波数ブロックＦＢ２に設定された第一期間Ｔ１及び第二期間Ｔ２の何れか一方または双方が、周波数ブロックＦＢ１にも適用される。例えば、図３〜図５では、第二期間Ｔ２において、周波数ブロックＦＢ１における合計長ＴＬ１のシンボルのシンボルタイミングと、周波数ブロックＦＢ２における合計長ＴＬ１のシンボルのシンボルタイミングとが互いに一致している。また例えば、図６では、第一期間Ｔ１において、周波数ブロックＦＢ１における合計長ＴＬ１のシンボルのシンボルタイミングと、周波数ブロックＦＢ２における合計長ＴＬ１のシンボルのシンボルタイミングとが互いに一致している。また例えば、図３及び図４において、周波数ブロックＦＢ２に設定された第一期間Ｔ１及び第二期間Ｔ２は、周波数ブロックＦＢ１にも適用される。また例えば、図５において、周波数ブロックＦＢ２に設定された第二期間Ｔ２は、周波数ブロックＦＢ１にも適用される。また例えば、図６において、周波数ブロックＦＢ２に設定された第一期間Ｔ１は、周波数ブロックＦＢ１にも適用される。
【００４４】
このように、周波数ブロックＦＢ１と周波数ブロックＦＢ２との間でシンボルタイミングを互いに一致させることにより、周波数ブロックＦＢ１の通信リソースと周波数ブロックＦＢ２の通信リソースとを同時に割り当てられたユーザ端末２０での復調処理の処理負荷を軽減させることができる。
【００４５】
また、通信制御部１１は、図７に示す設定情報ＣＯＭ１〜ＣＯＭ６の何れかを生成し、生成した設定情報を送信処理部１２へ出力する。
【００４６】
また、通信制御部１１は、下りリンク割当の割当結果に従って通信リソースの割当番号（ｍ,ｎ）を決定し、決定した割当番号（ｍ,ｎ）を送信処理部１２へ出力する。
【００４７】
ここで、通信制御部１１が設定情報ＣＯＭ１〜ＣＯＭ６のうち設定情報ＣＯＭ２，ＣＯＭ３，ＣＯＭ５，ＣＯＭ６を生成する場合、下りリンク割当の際には、通信制御部１１は、ある１つのユーザ端末２０に対して、第一期間Ｔ１における通信リソースと、第二期間Ｔ２における通信リソースとを同時に割り当てる。よって、設定情報ＣＯＭ１〜ＣＯＭ６のうち設定情報ＣＯＭ３，ＣＯＭ６が生成される場合には、通信制御部１１が第二期間Ｔ２において１つのユーザ端末２０に対して割り当てる通信リソースの周波数帯域幅は、通信制御部１１が第一期間Ｔ１において１つのユーザ端末２０に対して割り当てる通信リソースの周波数帯域幅より大きくなる。このように、ある１つのユーザ端末２０に対して、第一期間Ｔ１における通信リソースと第二期間Ｔ２における通信リソースとを同時に割り当てることにより、下りリンクＤＬでのユーザデータ量が大きいユーザ端末２０に対する通信リソースの割当を効率良く行うことができる。また、第二期間Ｔ２において割り当てる通信リソースの周波数帯域幅を、第一期間Ｔ１において割り当てる通信リソースの周波数帯域幅より大きくすることにより、下りリンクＤＬでのユーザデータ量が大きいユーザ端末２０に対する通信リソースの割当を、さらに効率良く行うことができる。
【００４８】
送信処理部１２は、ユーザデータ、上りリンク割当の割当結果、設定情報ＣＯＭ１〜ＣＯＭ６、及び、割当番号（ｍ,ｎ）を符号化及び変調し、変調後の信号にＩＦＦＴ（Inverse  Fast  Fourier  Transform）を行ってシンボルを生成し、生成したシンボルにＣＰを付加する。この際、送信処理部１２は、変調後の信号を割当番号（ｍ,ｎ）に従って下りリンクＤＬの通信リソースにマッピングする。送信処理部１２は、ＣＰ付加後のシンボルを無線送信部１３へ出力する。
【００４９】
無線送信部１３は、送信処理部１２から入力されるシンボルに対してデジタルアナログ変換及びアップコンバート等の無線送信処理を行って下りリンク信号を生成し、生成した下りリンク信号を切替部１４及びアンテナ１５を介してユーザ端末２０へ送信する。
【００５０】
ユーザデータを含む下りリンク信号は、例えばＰＤＳＣＨ（Physical  Downlink  Shared  Channel）を用いてユーザ端末２０へ送信される。設定情報ＣＯＭ１〜ＣＯＭ６の何れかを含む下りリンク信号は、例えばＢＣＨ（Broadcast  Channel）またはＰＤＣＣＨ（Physical  Downlink  Control  Channel）を用いてユーザ端末２０へ送信される。上りリンク割当の割当結果または割当番号（ｍ,ｎ）を含む下りリンク信号は、例えばＰＤＣＣＨを用いてユーザ端末２０へ送信される。
【００５１】
切替部１４は、下りリンクＤＬと上りリンクＵＬとを時分割で切り替える、つまり、基地局１０における送信と基地局１０における受信とを時分割で切り替える。下りリンクＤＬから上りリンクＵＬへの切替の際には、セル半径に応じた切替時間ＣＴが存在する。切替部１４は、下りリンクＤＬの通信時には無線送信部１３とアンテナ１５とを接続し、上りリンクＵＬの通信時には無線受信部１６とアンテナ１５とを接続する。
【００５２】
無線受信部１６は、アンテナ１５及び切替部１４を介してユーザ端末２０から上りリンク信号を受信し、受信した上りリンク信号に対してダウンコンバート及びアナログデジタル変換等の無線受信処理を行い、無線受信処理後の上りリンク信号を受信処理部１７へ出力する。無線受信部１６が受信する上りリンク信号には、ユーザ端末２０から送信されたユーザデータが含まれる。
【００５３】
受信処理部１７は、無線受信部１６から入力される上りリンク信号を上りリンク割当の割当結果に従って復調及び復号してユーザデータを得る。
【００５４】
＜ユーザ端末の構成＞
図９は、実施例１のユーザ端末の構成の一例を示す機能ブロック図である。図９において、ユーザ端末２０は、アンテナ２１と、切替部２２と、無線受信部２３と、受信処理部２４と、通信制御部２５と、送信処理部２６と、無線送信部２７とを有する。
【００５５】
無線受信部２３は、アンテナ２１及び切替部２２を介して基地局１０から下りリンク信号を受信し、受信した下りリンク信号に対してダウンコンバート及びアナログデジタル変換等の無線受信処理を行い、無線受信処理後のシンボルを受信処理部２４へ出力する。無線受信部２３が受信する下りリンク信号には、基地局１０から送信されたユーザデータ、設定情報ＣＯＭ１〜ＣＯＭ６、上りリンク割当の割当結果、または、割当番号（ｍ,ｎ）が含まれる。また、無線受信部２３から出力されるシンボルにはＣＰが付加されている。
【００５６】
切替部２２は、下りリンクＤＬと上りリンクＵＬとを時分割で切り替える、つまり、ユーザ端末２０における受信とユーザ端末２０における送信とを時分割で切り替える。下りリンクＤＬから上りリンクＵＬへの切替の際には、セル半径に応じた切替時間ＣＴが存在する。切替部２２は、下りリンクＤＬの通信時には無線受信部２３とアンテナ２１とを接続し、上りリンクＵＬの通信時には無線送信部２７とアンテナ２１とを接続する。
【００５７】
受信処理部２４は、無線受信部２３から入力されるシンボルからＣＰを除去し、ＣＰ除去後のシンボルに対してＦＦＴ（Fast  Fourier  Transform）を行い、ＦＦＴ後の信号を復調及び復号して設定情報ＣＯＭ１〜ＣＯＭ６、上りリンク割当の割当結果、または、割当番号（ｍ,ｎ）を得る。受信処理部２４は、上りリンク割当の割当結果を通信制御部２５へ出力する。また、受信処理部２４は、ＦＦＴ後の信号を設定情報ＣＯＭ１〜ＣＯＭ６及び割当番号（ｍ,ｎ）に従って復調及び復号してユーザデータを得る。つまり、受信処理部２４は、設定情報ＣＯＭ１〜ＣＯＭ６に従って下りリンク信号を復調する。
【００５８】
通信制御部２５は、上りリンク割当の割当結果を送信処理部２６へ出力する。
【００５９】
送信処理部２６は、ユーザデータを符号化及び変調し、変調後の信号を上りリンク割当の割当結果に従って上りリンクＵＬの通信リソースにマッピングし、マッピング後の信号を無線送信部２７へ出力する。
【００６０】
無線送信部２７は、送信処理部２６から入力される信号に対してデジタルアナログ変換及びアップコンバート等の無線送信処理を行って上りリンク信号を生成し、生成した上りリンク信号を切替部２２及びアンテナ２１を介して基地局１０へ送信する。
【００６１】
以上のように、実施例１では、基地局１０は、ＴＤＤ方式の通信システム１において使用される基地局である。基地局１０は、通信制御部１１と無線送信部１３とを有する。通信制御部１１は、下りリンクＤＬに含まれる周波数ブロックＦＢ１，ＦＢ２のうち周波数ブロックＦＢ２に第一期間Ｔ１と第二期間Ｔ２とを設定する。また、通信制御部１１は、設定した第一期間Ｔ１と第二期間Ｔ２との間において、互いに異なるシンボル長またはＣＰ長を設定する。無線送信部１３は、通信制御部１１によって設定されたシンボル長またはＣＰ長の設定情報ＣＯＭ１〜ＣＯＭ６をユーザ端末２０へ送信する。
【００６２】
また、実施例１では、ユーザ端末２０は、ＴＤＤ方式の通信システム１において使用されるユーザ端末である。ユーザ端末２０は、無線受信部２３と受信処理部２４とを有する。無線受信部２３は、下りリンクＤＬに含まれる周波数ブロックＦＢ１，ＦＢ２のうち周波数ブロックＦＢ２に設定された第一期間Ｔ１と第二期間Ｔ２とのそれぞれに対応する互いに異なるシンボル長またはＣＰ長の設定情報ＣＯＭ１〜ＣＯＭ６を受信する。設定情報ＣＯＭ１〜ＣＯＭ６は、基地局１０から送信されたものである。受信処理部２４は、設定情報ＣＯＭ１〜ＣＯＭ６に従って下りリンク信号を復調する。
【００６３】
こうすることで、周波数ブロックＦＢ２での時間軸方向におけるオーバヘッドＯＨを減少させることができるため、通信リソースの利用効率を高めることができる。
【００６４】
［他の実施例］
［１］基地局１０は、次のようなハードウェア構成により実現することができる。図１０は、基地局のハードウェア構成例を示す図である。図１０に示すように、基地局１０は、ハードウェアの構成要素として、プロセッサ１０ａと、メモリ１０ｂと、無線通信モジュール１０ｃとを有する。プロセッサ１０ａの一例として、ＣＰＵ（Central  Processing  Unit），ＤＳＰ（Digital  Signal  Processor），ＦＰＧＡ（Field  Programmable  Gate  Array）等が挙げられる。また、基地局１０は、プロセッサ１０ａと周辺回路とを含むＬＳＩ（Large  Scale  Integrated  circuit）を有してもよい。メモリ１０ｂの一例として、ＳＤＲＡＭ等のＲＡＭ，ＲＯＭ，フラッシュメモリ等が挙げられる。
【００６５】
通信制御部１１と、送信処理部１２と、受信処理部１７とは、プロセッサ１０ａにより実現される。無線送信部１３と、切替部１４と、アンテナ１５と、無線受信部１６とは、無線通信モジュール１０ｃにより実現される。
【００６６】
［２］ユーザ端末２０は、次のようなハードウェア構成により実現することができる。図１１は、ユーザ端末のハードウェア構成例を示す図である。図１１に示すように、ユーザ端末２０は、ハードウェアの構成要素として、プロセッサ２０ａと、メモリ２０ｂと、無線通信モジュール２０ｃとを有する。プロセッサ２０ａの一例として、ＣＰＵ，ＤＳＰ，ＦＰＧＡ等が挙げられる。また、ユーザ端末２０は、プロセッサ２０ａと周辺回路とを含むＬＳＩを有してもよい。メモリ２０ｂの一例として、ＳＤＲＡＭ等のＲＡＭ，ＲＯＭ，フラッシュメモリ等が挙げられる。
【００６７】
通信制御部２５と、送信処理部２６と、受信処理部２４とは、プロセッサ２０ａにより実現される。無線送信部２７と、切替部２２と、アンテナ２１と、無線受信部２３とは、無線通信モジュール２０ｃにより実現される。
【００６８】
［３］実施例１では、周波数ブロックＦＢ１と周波数ブロックＦＢ２とが、連続する一連の周波数帯域である場合について説明した。しかし、周波数ブロックＦＢ１と周波数ブロックＦＢ２との間には、周波数ブロックＦＢ１と周波数ブロックＦＢ２との間の干渉を抑えるために、ガードキャリアが存在しても良い。
【００６９】
［４］実施例１では、周波数ブロックＦＢ１と周波数ブロックＦＢ２との２つの周波数ブロックを一例に挙げて説明した。しかし、周波数ブロックの数が３つ以上の場合であっても、実施例１と同様にして、開示の技術を実施可能である。
【００７０】
［５］実施例１では、開示の技術を下りリンクＤＬで実施する場合を一例として説明した。しかし、上りリンクＵＬでも、実施例１と同様にして、開示の技術を実施可能である。
【符号の説明】
【００７１】
１  通信システム
１０  基地局
２０−１〜２０−３  ユーザ端末
１１，２５  通信制御部
１２−１〜１２−３，２６  送信処理部
１３，２７  無線送信部
１４，２２  切替部
１５，２１  アンテナ
１６，２３  無線受信部
１７−１〜１７−３，２４  受信処理部
【図１】
2018029843.tif 000003
【図２】
2018029843.tif 000004
【図３】
2018029843.tif 000005
【図４】
2018029843.tif 000006
【図５】
2018029843.tif 000007
【図６】
2018029843.tif 000008
【図７】
2018029843.tif 000009
【図８】
2018029843.tif 000010
【図９】
2018029843.tif 000011
【図１０】
2018029843.tif 000012
【図１１】
2018029843.tif 000013
【国際調査報告】
2018029843.tif 000014
2018029843.tif 000015